(57)【要約】      （修正有）【課題】ネットワーク機器を自動的に初期化する方法、その方法を用いたリモートサーバーおよびネットワークシステムを提供する。【解決手段】ネットワークシステム１において、リモートサーバー１１は、ネットワークを介してスイッチ１２に接続される。リモートサーバー１１は、ネットワーク機器１３がスイッチ１２に接続されたポートのポート数を取得して、スイッチから転送テーブルを取得する。リモートサーバー１１は、ネットワーク機器１３がスイッチ１２に接続されたポートのポート数に基づいて転送テーブルを分析して、ネットワーク機器１３の遠隔管理コントローラ１３１の識別子を取得する。リモートサーバー１１は、遠隔管理コントローラ１３１の識別子に基づいて遠隔管理コントローラ１３１のネットワークアドレスをネットワーク機器１３の遠隔管理コントローラ１３１に割り当てて送信する。【選択図】図２
2019087991.tif 000002
【特許請求の範囲】
【請求項１】
スイッチと、
遠隔管理コントローラおよび少なくとも１つのネットワークインターフェースカードを含み、前記スイッチの少なくとも１つのポートに接続されたネットワーク機器と、
ネットワークを介して前記スイッチに接続され、前記遠隔管理コントローラが前記スイッチに接続されたポートの第１ポート数および前記ネットワークインターフェースカードが前記スイッチに接続されたポートの第２ポート数を取得するリモートサーバーと、
を含み、
前記ネットワーク機器が、前記遠隔管理コントローラの識別子を含む第１ディスカバリパケットを前記スイッチに送信し、前記スイッチが、前記遠隔管理コントローラの前記識別子および前記遠隔管理コントローラが前記スイッチに接続された前記ポートの前記第１ポート数を転送テーブルに保存し、
前記リモートサーバーが、前記スイッチから前記転送テーブルを取得し、前記遠隔管理コントローラが前記スイッチに接続された前記ポートの前記第１ポート数に基づいて前記転送テーブルを分析して、前記遠隔管理コントローラの前記識別子を取得し、且つ前記遠隔管理コントローラの前記識別子に基づいて前記遠隔管理コントローラのネットワークアドレスを前記ネットワーク機器の前記遠隔管理コントローラに割り当てて送信するネットワークシステム。
【請求項２】
前記リモートサーバーが、前記遠隔管理コントローラの前記ネットワークアドレスに基づいて前記ネットワーク機器に接続され、前記リモートサーバーが、前記遠隔管理コントローラを介して前記ネットワーク機器をブートし、ブートした後、前記ネットワーク機器が、前記ネットワーク機器の前記ネットワークインターフェースカードの識別子を含む第２ディスカバリパケットを前記スイッチに送信する請求項１に記載のネットワークシステム。
【請求項３】
前記ネットワーク機器が、プレブート実行環境のネットワークブート機構を介して、前記第２ディスカバリパケットを前記スイッチに送信する請求項２に記載のネットワークシステム。
【請求項４】
前記スイッチが、前記ネットワークインターフェースカードの前記識別子および前記ネットワークインターフェースカードが前記スイッチに接続された前記ポートの前記第２ポート数を前記転送テーブルに保存し、前記リモートサーバーが、前記スイッチから前記転送テーブルを取得するとともに、前記ネットワークインターフェースカードが前記スイッチに接続された前記ポートの前記第２ポート数に基づいて前記転送テーブルを分析して、前記ネットワーク機器の前記ネットワークインターフェースカードの前記識別子を取得および保存する請求項２に記載のネットワークシステム。
【請求項５】
前記ネットワーク機器の前記ネットワークインターフェースカードの前記識別子が、前記ネットワークインターフェースカードの媒体アクセス制御アドレスであり、前記遠隔管理コントローラの前記識別子が、前記遠隔管理コントローラの媒体アクセス制御アドレスである請求項２に記載のネットワークシステム。
【請求項６】
前記第１ディスカバリパケットおよび前記第２ディスカバリパケットが、それぞれブートストラッププロトコルパケットまたは動的ホスト構成プロトコルパケットである請求項２に記載のネットワークシステム。
【請求項７】
前記遠隔管理コントローラが前記スイッチに接続された前記ポートの前記第１ポート数および前記ネットワークインターフェースカードが前記スイッチに接続された前記ポートの前記第２ポート数が、同じ、または異なるポート数である請求項１に記載のネットワークシステム。
【請求項８】
前記遠隔管理コントローラが、ベースボード管理コントローラである請求項１に記載のネットワークシステム。
【請求項９】
ネットワーク接続インターフェースと、
前記ネットワーク接続インターフェースに接続され、ネットワークを介して前記ネットワーク接続インターフェース経由でスイッチに接続され、ネットワーク機器の遠隔管理コントローラが前記スイッチに接続されたポートの第１ポート数および前記ネットワーク機器のネットワークインターフェースカードが前記スイッチに接続されたポートの第２ポート数を取得し、前記スイッチから転送テーブルを取得するプロセッサと、
を含み、前記プロセッサが、前記遠隔管理コントローラが前記スイッチに接続された前記ポートの前記第１ポート数に基づいて前記転送テーブルを分析して、前記ネットワーク機器の前記遠隔管理コントローラの識別子を取得するとともに、前記遠隔管理コントローラの前記識別子に基づいて前記遠隔管理コントローラのネットワークアドレスを前記ネットワーク機器の前記遠隔管理コントローラに割り当てて送信するリモートサーバー。
【請求項１０】
前記プロセッサが、前記遠隔管理コントローラの前記ネットワークアドレスに基づいて、前記ネットワーク機器に接続され、前記プロセッサが、前記遠隔管理コントローラを介して前記ネットワーク機器をブートし、前記ネットワーク機器の前記ネットワークインターフェースカードが、前記ネットワークインターフェースカードの識別子を含むディスカバリパケットを前記スイッチに送信し、前記プロセッサが、前記スイッチから前記転送テーブルを取得し、前記転送テーブルが、前記ネットワークインターフェースカードの前記識別子および前記ネットワークインターフェースカードが前記スイッチに接続された前記ポートの前記第２ポート数を含む請求項９に記載のリモートサーバー。
【請求項１１】
前記プロセッサが、前記ネットワークインターフェースカードが前記スイッチに接続された前記ポートの前記第２ポート数に基づいて前記転送テーブルを分析して、前記ネットワーク機器の前記ネットワークインターフェースカードの前記識別子を取得および保存する請求項１０に記載のリモートサーバー。
【請求項１２】
前記ネットワーク機器の前記ネットワークインターフェースカードの前記識別子が、前記ネットワークインターフェースカードの媒体アクセス制御アドレスである請求項１０に記載のリモートサーバー。
【請求項１３】
前記遠隔管理コントローラの前記識別子が、前記遠隔管理コントローラの媒体アクセス制御アドレスである請求項９に記載のリモートサーバー。
【請求項１４】
前記遠隔管理コントローラが前記スイッチに接続された前記ポートの前記第１ポート数および前記ネットワークインターフェースカードが前記スイッチに接続された前記ポートの前記第２ポート数が、同じ、または異なるポート数である請求項９に記載のリモートサーバー。
【請求項１５】
前記遠隔管理コントローラが、ベースボード管理コントローラである請求項９に記載のリモートサーバー。
【請求項１６】
リモートサーバーにより、ネットワーク機器の遠隔管理コントローラがスイッチに接続されたポートの第１ポート数および前記ネットワーク機器のネットワークインターフェースカードが前記スイッチに接続されたポートの第２ポート数を取得するステップと、
前記ネットワーク機器により、前記ネットワーク機器の前記遠隔管理コントローラの識別子を含む第１ディスカバリパケットを前記スイッチに送信するステップと、
前記スイッチにより、前記遠隔管理コントローラの前記識別子および前記遠隔管理コントローラが前記スイッチに接続された前記ポートの前記第１ポート数を転送テーブルに保存するステップと、
前記リモートサーバーにより、前記スイッチから前記転送テーブルを取得するとともに、前記遠隔管理コントローラが前記スイッチに接続された前記ポートの前記第１ポート数に基づいて前記転送テーブルを分析して、前記遠隔管理コントローラの前記識別子を取得するステップと、
前記リモートサーバーにより、前記遠隔管理コントローラの前記識別子に基づいて、前記遠隔管理コントローラのネットワークアドレスを前記ネットワーク機器の前記遠隔管理コントローラに割り当てて送信するステップと、
を含むネットワーク機器を自動的に初期化する方法。
【請求項１７】
前記リモートサーバーにより、前記遠隔管理コントローラの前記ネットワークアドレスに基づいて前記ネットワーク機器に接続し、前記遠隔管理コントローラを介して前記ネットワーク機器をブートするステップと、
前記ネットワーク機器により、前記ネットワーク機器をブートした後、前記ネットワーク機器の前記ネットワークインターフェースカードの識別子を含む第２ディスカバリパケットを前記スイッチに送信するステップと、
をさらに含む請求項１６に記載のネットワーク機器を自動的に初期化する方法。
【請求項１８】
前記ネットワーク機器により、プレブート実行環境のネットワークブート機構を介して、前記第２ディスカバリパケットを生成するステップをさらに含む請求項１７に記載のネットワーク機器を自動的に初期化する方法。
【請求項１９】
前記スイッチにより、前記ネットワークインターフェースカードの前記識別子および前記ネットワークインターフェースカードが前記スイッチに接続された前記ポートの前記第２ポート数を前記転送テーブルに保存するステップと、
前記リモートサーバーにより、前記スイッチから前記転送テーブルを取得するとともに、前記ネットワークインターフェースカードが前記スイッチに接続された前記ポートの前記第２ポート数に基づいて前記転送テーブルを分析して、前記ネットワーク機器の前記ネットワークインターフェースカードの前記識別子を取得および保存するステップと、
をさらに含む請求項１７に記載のネットワーク機器を自動的に初期化する方法。
【請求項２０】
前記ネットワーク機器の前記ネットワークインターフェースカードの前記識別子が、前記ネットワークインターフェースカードの媒体アクセス制御アドレスであり、前記遠隔管理コントローラの前記識別子が、前記遠隔管理コントローラの媒体アクセス制御アドレスである請求項１７に記載のネットワーク機器を自動的に初期化する方法。
【請求項２１】
前記第１ディスカバリパケットおよび前記第２ディスカバリパケットが、それぞれブートストラッププロトコルパケットまたは動的ホスト構成プロトコルパケットである請求項１７に記載のネットワーク機器を自動的に初期化する方法。
【請求項２２】
前記遠隔管理コントローラが前記スイッチに接続された前記ポートの前記第１ポート数および前記ネットワークインターフェースカードが前記スイッチに接続された前記ポートの前記第２ポート数が、同じ、または異なるポート数である請求項１６に記載のネットワーク機器を自動的に初期化する方法。
【請求項２３】
前記遠隔管理コントローラが、ベースボード管理コントローラである請求項１６に記載のネットワーク機器を自動的に初期化する方法。
【請求項２４】
リモートサーバーにより、ネットワーク機器の遠隔管理コントローラがスイッチに接続されたポートの第１ポート数および前記ネットワーク機器のネットワークインターフェースカードが前記スイッチに接続されたポートの第２ポート数を取得するステップと、
前記リモートサーバーにより、前記ネットワーク機器の前記遠隔管理コントローラの識別子および前記遠隔管理コントローラが前記スイッチに接続された前記ポートの前記第１ポート数を含む転送テーブルを前記スイッチから取得するステップと、
前記リモートサーバーにより、前記遠隔管理コントローラが前記スイッチに接続された前記ポートの前記第１ポート数に基づいて前記転送テーブルを分析して、前記遠隔管理コントローラの前記識別子を取得するステップと、
前記リモートサーバーにより、前記遠隔管理コントローラの識別子に基づいて前記遠隔管理コントローラのネットワークアドレスを前記ネットワーク機器の前記遠隔管理コントローラに割り当てて送信するステップと、
を含むネットワーク機器を自動的に初期化する方法。
【請求項２５】
前記リモートサーバーにより、前記遠隔管理コントローラの前記ネットワークアドレスに基づいて前記ネットワーク機器に接続し、前記遠隔管理コントローラを介して前記ネットワーク機器をブートするステップと、
前記ネットワーク機器の前記ネットワークインターフェースカードにより、前記ネットワーク機器をブートした後、前記ネットワークインターフェースカードの識別子を含むディスカバリパケットを前記スイッチに送信し、前記リモートサーバーにより、前記ネットワークインターフェースカードの前記識別子および前記ネットワークインターフェースカードが前記スイッチに接続された前記ポートの前記第２ポート数を含む前記転送テーブルを前記スイッチから取得するステップと、
をさらに含む請求項２４に記載のネットワーク機器を自動的に初期化する方法。
【請求項２６】
前記ネットワーク機器により、プレブート実行環境のネットワークブート機構を介して、前記ディスカバリパケットを生成するステップをさらに含む請求項２５に記載のネットワーク機器を自動的に初期化する方法。
【請求項２７】
前記リモートサーバーにより、前記ネットワークインターフェースカードが前記スイッチに接続された前記ポートの前記第２ポート数に基づいて前記転送テーブルを分析して、前記ネットワーク機器の前記ネットワークインターフェースカードの前記識別子を取得および保存するステップをさらに含む請求項２５に記載のネットワーク機器を自動的に初期化する方法。
【請求項２８】
前記ネットワーク機器の前記ネットワークインターフェースカードの前記識別子が、前記ネットワークインターフェースカードの媒体アクセス制御アドレスである請求項２５に記載のネットワーク機器を自動的に初期化する方法。
【請求項２９】
前記遠隔管理コントローラの前記識別子が、前記遠隔管理コントローラの媒体アクセス制御アドレスである請求項２４に記載のネットワーク機器を自動的に初期化する方法。
【請求項３０】
前記遠隔管理コントローラが前記スイッチに接続された前記ポートの前記第１ポート数および前記ネットワークインターフェースカードが前記スイッチに接続された前記ポートの前記第２ポート数が、同じ、または異なるポート数である請求項２４に記載のネットワーク機器を自動的に初期化する方法。
【請求項３１】
前記遠隔管理コントローラが、ベースボード管理コントローラである請求項２４に記載のネットワーク機器を自動的に初期化する方法。
【発明の詳細な説明】
【技術分野】
【０００１】
本発明は、ネットワークシステム、ネットワーク機器を自動的に初期化（initialization）するリモートサーバー、およびネットワーク機器を自動的に初期化する方法に関するものである。
【背景技術】
【０００２】
一般的に、データセンター（data center）は、多数のサーバーを用いてインストールされる。サーバーが全て正常に操作されることを確保するため、情報技術（information technology, IT）技術者は、サーバーの配備を手動で行う必要がある。つまり、IT技術者は、ベースボード管理コントローラ（baseboard management controller, BMC）、基本入出力システム（basic input/output system, BIOS）、独立ディスクの冗長アレイ（redundant array of independent disks, RAID）、ネットワークパラメータ等を手動で設定して、データセンターの各サーバーのファームウェア更新を実行する必要があるため、多くの人件費と時間がかかる。この状況により、ゼロタッチプロビジョニング（zero touch provisioning, ZTP）技術が開発された。
【発明の概要】
【発明が解決しようとする課題】
【０００３】
しかしながら、ＺＴＰを実行する前に、依然として手動で初期化を行う必要がある。つまり、ＩＴ技術者は、各サーバーが接続されたスイッチのポート（port）および各サーバーのＢＭＣの媒体アクセス制御アドレス（media access control address, MAC address）を手動で確認および記録してから、各サーバーのＢＭＣにネットワークパラメータを割り当てる必要がある。そして、ＩＴ技術者は、各サーバーのネットワーク設定を手動で行って、各サーバーのネットワークインターフェースカード（network interface card, NIC）のＭＡＣアドレスを記録しなければ、ＺＴＰ技術によりサーバーの配備を行うことができない。したがって、上述したＺＴＰ初期化は、依然として人件費と時間がかかる。
【０００４】
また、ＩＴ技術者は、ＺＴＰを行う前に手動で初期化を行う必要があるため、人的エラーが必然的に発生し、上述したＺＴＰ初期化の効率を下げる。
【０００５】
そのため、初期化を自動的に行う方法を提供して、ＺＴＰの問題を有効に改善する必要がある。
【課題を解決するための手段】
【０００６】
したがって、ネットワーク機器を自動的に初期化する方法、その方法を用いたリモートサーバーおよびネットワークシステムを提供する。
【０００７】
本発明の１つの実施形態は、スイッチ、ネットワーク機器、およびリモートサーバーを含むネットワークシステムを提供する。ネットワーク機器は、遠隔管理コントローラおよび少なくとも１つのネットワークインターフェースカードを含む。ネットワーク機器は、スイッチの少なくとも１つのポートに接続される。リモートサーバーは、ネットワークを介してスイッチに接続され、遠隔管理コントローラがスイッチに接続されたポートの第１ポート数およびネットワークインターフェースカードがスイッチに接続されたポートの第２ポート数を取得する。ネットワーク機器は、遠隔管理コントローラの識別子を含む第１ディスカバリパケット（discovery packet）をスイッチに送信し、スイッチは、遠隔管理コントローラの識別子および遠隔管理コントローラがスイッチに接続されたポートの第１ポート数を転送テーブルに保存する。リモートサーバーは、スイッチから転送テーブルを取得する。リモートサーバーは、遠隔管理コントローラがスイッチに接続されたポートの第１ポート数に基づいて転送テーブルを分析して、遠隔管理コントローラの識別子を取得するとともに、遠隔管理コントローラの識別子に基づいて遠隔管理コントローラのネットワークアドレスをネットワーク機器の遠隔管理コントローラに割り当てて送信する。
【０００８】
別の実施形態において、本発明は、ネットワーク接続インターフェースおよびプロセッサを含むリモートサーバーを提供する。プロセッサは、ネットワーク接続インターフェースに接続され、ネットワークを介してネットワーク接続インターフェース経由でスイッチに接続され、ネットワーク機器の遠隔管理コントローラがスイッチに接続されたポートの第１ポート数およびネットワーク機器のネットワークインターフェースカードがスイッチに接続されたポートの第２ポート数を取得し、スイッチから転送テーブルを取得する。プロセッサは、遠隔管理コントローラがスイッチに接続されたポートの第１ポート数に基づいて転送テーブルを分析して、ネットワーク機器の遠隔管理コントローラの識別子を取得するとともに、遠隔管理コントローラの識別子に基づいて遠隔管理コントローラのネットワークアドレスをネットワーク機器の遠隔管理コントローラに割り当てて送信する。
【０００９】
発明の１つの実施形態は、以下のステップを含むネットワーク機器を自動的に初期化する方法を提供する：リモートサーバーにより、ネットワーク機器の遠隔管理コントローラがスイッチに接続されたポートの第１ポート数およびネットワーク機器のネットワークインターフェースカードがスイッチに接続されたポートの第２ポート数を取得するステップ；ネットワーク機器により、ネットワーク機器の遠隔管理コントローラの識別子を含む第１ディスカバリパケットをスイッチに送信するステップ；スイッチにより、遠隔管理コントローラの識別子および遠隔管理コントローラがスイッチに接続されたポートの第１ポート数を転送テーブルに保存するステップ；リモートサーバーにより、スイッチから転送テーブルを取得するとともに、遠隔管理コントローラがスイッチに接続されたポートの第１ポート数に基づいて転送テーブルを分析して、遠隔管理コントローラの識別子を取得するステップ；およびリモートサーバーにより、遠隔管理コントローラの識別子に基づいて、遠隔管理コントローラのネットワークアドレスをネットワーク機器の遠隔管理コントローラに割り当てて送信するステップ。
【００１０】
別の実施形態において、以下のステップを含むネットワーク機器を自動的に初期化する方法を提供する：リモートサーバーにより、ネットワーク機器の遠隔管理コントローラがスイッチに接続されたポートの第１ポート数およびネットワーク機器のネットワークインターフェースカードがスイッチに接続されたポートの第２ポート数を取得するステップ；リモートサーバーにより、ネットワーク機器の遠隔管理コントローラの識別子および遠隔管理コントローラがスイッチに接続されたポートの第１ポート数を含む転送テーブルをスイッチから取得するステップ；リモートサーバーにより、遠隔管理コントローラがスイッチに接続されたポートの第１ポート数に基づいて転送テーブルを分析して、遠隔管理コントローラの識別子を取得するステップ；およびリモートサーバーにより、遠隔管理コントローラの識別子に基づいて遠隔管理コントローラのネットワークアドレスをネットワーク機器の遠隔管理コントローラに割り当てて送信するステップ。
【発明の効果】
【００１１】
言及すべきこととして、従来、ゼロタッチプロビジョニング（ＺＴＰ）を行う前に、通常、手動で初期化を行う。つまり、ＩＴ技術者は、各ネットワーク機器の遠隔管理コントローラのＭＡＣアドレスを手動で確認して記録した後、ネットワークパラメータを各サーバーまたはネットワーク機器の遠隔管理コントローラに割り当てる必要がある。そして、ＩＴ技術者は、各ネットワーク機器のネットワーク設定を手動で行って、各ネットワーク機器のネットワークインターフェースカードのＭＡＣアドレスを記録するまで、ＺＴＰ技術でサーバーの配備を行うことができない。反対に、本発明の実施形態によると、リモートサーバーは、自動マッピング手順を実行して各ネットワーク機器の遠隔管理コントローラの識別子（例えば、ＭＡＣアドレス）を自動的に取得し、異なるネットワークアドレス（例えば、ＩＰアドレス）を各ネットワーク機器の遠隔管理コントローラに割り当てる。
【００１２】
また、従来、ＺＴＰを行う前に初期化を手動で行うため、人的エラーが必然的に発生し、効率を下げる。反対に、本発明の実施形態によると、リモートサーバーは、地金（bare metal）に基づいて自動初期化を実現するため、人的エラーの発生を防ぎ、さらに初期化の効率を向上させる。
【図面の簡単な説明】
【００１３】
添付図面は、本発明の原理がさらに理解されるために含まれており、本明細書に組み込まれ、且つその一部を構成するものである。図面は、本発明の実施形態を例示しており、説明とともに、本発明の原理を説明する役割を果たしている。
【００１４】
【図１】本発明の第１実施形態に係るネットワーク機器を自動的に初期化するリモートサーバーを示すブロック概略図である。
【図２】本発明の第１実施形態に係るネットワーク機器を自動的に初期化するネットワークシステムを示す概略図である。
【図３】本発明の第１実施形態に係るネットワーク機器を自動的に初期化する方法を示すフローチャートである。
【図４】本発明の第２実施形態に係るネットワーク機器を自動的に初期化するネットワークシステムを示す概略図である。
【図５】本発明の第２実施形態に係るネットワーク機器を自動的に初期化する方法を示すフローチャートである。
【発明を実施するための形態】
【００１５】
ここで、図面を参照して、ネットワーク機器を自動的に初期化する方法、この方法を用いたリモートサーバーおよびネットワークシステムについて説明する。図面の説明を明確および容易にするため、図面における構成要素のサイズおよび比率を拡大または縮小して表示することがある。以下の説明および／または請求項において、構成要素を他の構成要素に「接続」または「結合」する時、他の構成要素に直接接続または結合する、または介在する構成要素が存在するとみなすことができる。構成要素を他の構成要素に「直接接続」または「直接結合」する時、介在する構成要素は存在しない。構成要素または層間の関係を説明するための他の用語も同じ方法で解釈することができる。理解しやすいよう、以下の実施形態において、同じ構成要素は、同じ参照番号を付して説明する。
【００１６】
図１は、本発明の第１実施形態に係るネットワーク機器を自動的に初期化するリモートサーバーを示すブロック概略図である。図１を参照すると、リモートサーバー１１は、ネットワーク接続インターフェース１１１およびプロセッサ１１２を含む。別の実施形態において、リモートサーバー１１は、例えば、物理サーバー等の別の異なるコンピュータ装置であってもよい。あるいは、リモートサーバー１１は、サーバー内で操作される仮想機械（virtual machine）のうちの１つのアプリケーションプログラムであってもよい。
【００１７】
プロセッサ１１２は、ネットワーク接続インターフェース１１１に接続される。プロセッサ１１２は、ネットワークを介してネットワーク接続インターフェース１１１経由でスイッチ１２に接続される。
【００１８】
ネットワーク機器１３は、例えば、クライアント端サーバーであり、遠隔管理コントローラ１３１および少なくとも１つのネットワークインターフェースカード１３２を含む。少なくとも１つのネットワーク機器１３がスイッチ１２のうちの少なくとも１つのポートに接続された時、リモートサーバー１１は、ネットワーク機器１３の遠隔管理コントローラ１３１がスイッチ１２に接続されたポートの第１ポート数を前もって知り／取得し、ネットワーク機器１３のネットワークインターフェースカード１３２がスイッチ１２に接続されたポートの第２ポート数を前もって知る／取得する。１つの実施形態において、ネットワーク機器１３の遠隔管理コントローラ１３１およびネットワークインターフェースカード１３２は、それぞれスイッチ１２の異なるポートに接続される。そのため、遠隔管理コントローラ１３１がスイッチ１２に接続されたポートの第１ポート数とネットワークインターフェースカード１３２がスイッチ１２に接続されたポートの第２ポート数は、異なる。別の実施形態において、ネットワーク機器１３は、共有ポート（share port）機能を有し、ネットワーク機器１３は、同じポートを介してスイッチ１２に接続したい遠隔管理コントローラ１３１およびネットワークインターフェースカード１３２を構成してもよい。この場合、遠隔管理コントローラ１３１がスイッチ１２に接続されたポートの第１ポート数とネットワークインターフェースカード１３２がスイッチ１２に接続されたポートの第２ポート数は、同じである。リモートサーバー１１は、スイッチ１２に接続されたネットワーク機器１３を自動的に初期化する。
【００１９】
別の実施形態において、ネットワーク機器１３は、例えば、物理サーバー等の別の異なるコンピュータ装置であってもよい。具体的に説明すると、遠隔管理コントローラ１３１は、リモートサーバー１１の命令を実行する。そのため、リモートサーバー１１は、ネットワーク機器１３を遠隔管理することができる。遠隔管理コントローラ１３１は、オフ状態のネットワーク機器１３でネットワーク機器１３を監視または更新する等の操作を行うことを可能にする。本発明の実施形態は、リモートサーバー１１がネットワーク機器１３の遠隔管理コントローラ１３１を遠隔管理、監視、および構成することさえできれば、遠隔管理コントローラ１３１の特定の実施モードを限定しない。遠隔管理コントローラ１３１は、例えば、ベースボード管理コントローラ（ＢＭＣ）である。
【００２０】
しかしながら、リモートサーバー１１がネットワーク機器１３の遠隔管理コントローラ１３１のネットワークアドレス（すなわち、ＩＰアドレス）を自動的に設定してネットワーク機器１３を自動的に初期化する方法については、後続の実施形態で詳述する。
【００２１】
リモートサーバー１１は、ネットワーク機器１３を自動的に初期化する。初期化が完了した後、リモートサーバー１１は、遠隔管理コントローラ１３１のパラメータ設定、基本入出力システム（ＢＩＯＳ）のパラメータ設定、独立ディスクの冗長アレイ（ＲＡＩＤ）のパラメータ設定、ファームウェアのパラメータ設定、ネットワークパラメータの配備、ファームウェア更新等を含むネットワーク機器１３の操作を自動的に行う。本実施形態の自動初期化は、２つの段階を含む。第１段階は、自動マッピング（mapping）手順であり、第２段階は、自動事前構成（pre-configuration）手順である。
【００２２】
自動マッピング手順は、リモートサーバー１１がネットワーク機器１３の遠隔管理コントローラ１３１の識別子を自動的に取得し、ネットワーク機器１３の遠隔管理コントローラ１３１のネットワークアドレスをネットワーク機器１３の遠隔管理コントローラ１３１に割り当てられるようにする。
【００２３】
まず、ネットワーク機器１３をスイッチ１２に接続した後、リモートサーバー１１のプロセッサ１１２は、ネットワーク機器１３の遠隔管理コントローラ１３１がスイッチ１２に接続されたポートのプリセット第１ポート数を前もって知る／取得する。あるいは、ＩＴ技術者または管理者は、ネットワーク機器１３がスイッチ１２に接続されたポートの第１ポート数をリモートサーバー１１に通知する。
【００２４】
ネットワーク機器１３がスイッチ１２に接続された時、ネットワーク機器１３の遠隔管理コントローラ１３１は、遠隔管理コントローラ１３１の識別子を含む第１ディスカバリパケットを放送（broadcast）する。
【００２５】
スイッチ１２が遠隔管理コントローラ１３１の識別子を含む第１ディスカバリパケットを受信した後、スイッチ１２は、遠隔管理コントローラ１３１の識別子およびネットワーク機器１３の遠隔管理コントローラ１３１がスイッチ１２に接続されたポートの第１ポート数を転送テーブル（forwarding table）に保存する。
【００２６】
リモートサーバー１１のプロセッサ１１２は、スイッチ１２から転送テーブルを取得する。前もって知った／取得した遠隔管理コントローラ１３１がスイッチ１２に接続されたポートの第１ポート数に基づいて、プロセッサ１１２は、転送テーブルを検索または分析して、遠隔管理コントローラ１３１の識別子を取得する。そして、遠隔管理コントローラ１３１の識別子に基づいて、リモートサーバー１１のプロセッサ１１２は、遠隔管理コントローラ１３１のネットワークアドレスを割り当てて、遠隔管理コントローラ１３１のネットワークアドレスをネットワーク機器１３の遠隔管理コントローラ１３１に送信し、遠隔管理コントローラ１３１のネットワークアドレスを設定する。詳しく説明すると、リモートサーバー１１は、静的ＩＰアドレスを遠隔管理コントローラ１３１に割り当てるか、あるいは動的ホスト構成プロトコル（dynamic host configuration protocol, DHCP）に基づいて遠隔管理コントローラ１３１のネットワークアドレスを割り当てる。１つの実施形態において、遠隔管理コントローラ１３１の識別子は、遠隔管理コントローラ１３１のＭＡＣアドレスである。
【００２７】
本例示的実施形態において、プロセッサ１１２は、リモートサーバー１１の操作全体を制御するよう構成される。プロセッサ１１２は、例えば、中央処理装置（central processing unit, CPU）、プログラム可能なマイクロプロセッサ（programmable microprocessor）、デジタル信号プロセッサ（digital signal processor, DSP）、プログラマブルコントローラ（programmable controller）、特定用途向け集積回路（application specific integrated circuit, ASIC）、プログラム可能論理デバイス（programmable logic device, PLD）、または他の類似デバイスであるが、本発明はこれに限定されない。
【００２８】
１つの例示的実施形態において、ネットワーク接続インターフェース１１１は、ネットワークモジュールであるため、リモートサーバー１１は、任意の既知および／または未知の接続プロトコルネットワークを介して外部実体と通信することができる。ネットワーク接続インターフェース１１１は、例えば、１つまたはそれ以上のネットワークアダプターカード（network adapter card）、有線ネットワークインターフェースカード、無線ネットワークインターフェースカード、例えば、ＷｉＦｉインターフェースまたは他の無線通信プロトコル（例えば、２Ｇ、３Ｇ、３．５Ｇ、４Ｇ、およびＬＴＥ、ただし、本発明はこれに限定されない）を含む。スイッチ１２は、１つのネットワークホストから別のネットワークホストにデータを送信するよう構成されたハードウェアまたはソフトウェアであり、例えば、スイッチ、ブリッジ（bridge）、ルーター（router）、ゲートウェイ（gateway）等である。
【００２９】
上述した自動マッピング手順により、リモートサーバー１１は、手動で設定しなくても、ネットワークアドレスをネットワーク機器１３の遠隔管理コントローラ１３１に自動的に割り当てるため、初期化の人件費と時間を減らすことができる。
【００３０】
自動事前構成手順は、リモートサーバー１１がネットワーク機器１３を自動的に設定して、ネットワーク機器１３のネットワークインターフェースカード１３２の識別子を記録できるようにする。
【００３１】
まず、遠隔管理コントローラ１３１に割り当てたネットワークアドレスに基づいて、リモートサーバー１１のプロセッサ１１２は、ネットワーク機器１３をブート（boot）するようネットワークを介して遠隔管理コントローラ１３１を制御する。
【００３２】
ネットワーク機器１３をブートした後、ネットワーク機器１３は、ネットワークインターフェースカード１３２を介してネットワーク機器１３のネットワークインターフェースカード１３２の識別子を含む第２ディスカバリパケットを放送／送信する。スイッチ１２がネットワークインターフェースカード１３２の識別子を含む第２ディスカバリパケットを受信した後、スイッチ１２は、ネットワークインターフェースカード１３２の識別子およびネットワークインターフェースカード１３２がスイッチ１２に接続されたポートの第２ポート数を転送テーブルに保存する。
【００３３】
１つの実施形態において、プレブート実行環境（Preboot Execution Environment, PXE）のネットワークブート機構を介して、ネットワーク機器１３をリモートサーバー１１でブートした後、ネットワーク機器１３は、第２ディスカバリパケットをスイッチ１２に送信または放送する。
【００３４】
リモートサーバー１１のプロセッサ１１２は、スイッチ１２から転送テーブルを取得する。前もって知った／取得したネットワークインターフェースカード１３２がスイッチ１２に接続されたポートの第２ポート数に基づいて、プロセッサ１１２は、転送テーブルを検索または分析して、ネットワークインターフェースカード１３２の識別子を取得する。１つの実施形態において、リモートサーバー１１は、ネットワークインターフェースカード１３２の識別子を保存する。ネットワークインターフェースカード１３２の識別子は、例えば、ネットワークインターフェースカード１３２のＭＡＣアドレスである。詳しく説明すると、ネットワーク機器１３の遠隔管理コントローラ１３１がスイッチ１２に接続されたポートの第１ポート数とネットワークインターフェースカード１３２がスイッチ１２に接続されたポートの第２ポート数は、同じポート数であっても、または異なるポート数であってもよい。
【００３５】
当然、上述した説明は単なる例であり、リモートサーバー１１の構造および機能は、実際の必要に応じて変更可能であるため、本発明はこれに限定されない。
【００３６】
上述した自動事前構成手順によって、リモートサーバー１１は、手動で設定しなくても、ネットワーク機器１３のネットワークインターフェースカード１３２の識別子を記録して、ネットワーク機器１３をさらに自動的に設定するため、初期化の人件費と時間を減らすことができる。
【００３７】
図２は、本発明の第１実施形態に係るネットワーク機器を自動的に初期化するネットワークシステムを示す概略図である。図２を参照すると、本実施形態のネットワークシステム１は、リモートサーバー１１、スイッチ１２、およびネットワーク機器１３を含む。ネットワークシステム１は、複数のネットワーク機器１３を含んでもよい。しかしながら、本実施形態の技術特徴を明確に示すため、本実施形態では、１つのネットワーク機器１３のみを例示する。以下、自動マッピング手順について詳しく説明する。
【００３８】
ネットワークを介して、リモートサーバー１１をスイッチ１２に接続する。
【００３９】
ネットワーク機器１３は、遠隔管理コントローラ１３１を含む。ネットワーク機器１３の遠隔管理コントローラ１３１は、スイッチ１２のポートに接続される。リモートサーバー１１は、ネットワーク機器１３の遠隔管理コントローラ１３１がスイッチ１２に接続されたポートの第１ポート数を知る／取得する。本実施形態において、ネットワーク機器１３は、例えば、クライアント端サーバーである。
【００４０】
ネットワークシステム１は、自動マッピング手順を実行して、リモートサーバー１１が遠隔管理コントローラ１３１のネットワークアドレスをネットワーク機器１３の遠隔管理コントローラ１３１に自動的に割り当てられるようにする。
【００４１】
ステップ２０１Ａにおいて、ネットワーク機器１３の遠隔管理コントローラ１３１は、遠隔管理コントローラ１３１の識別子Ｍ１を含む第１ディスカバリパケットＤＰを生成する。ネットワーク機器１３は、スイッチ１２の第１ディスカバリパケットＤＰを送信または放送する。詳しく説明すると、第１ディスカバリパケットＤＰは、例えば、ブートストラッププロトコル（bootstrap protocol, BootP）パケットまたはＤＨＣＰパケットである。ＢｏｏｔＰパケットおよびＤＨＣＰパケットは、従来技術であるため、ここでは繰り返し説明しない。
【００４２】
そして、ステップ２０１Ｂにおいて、スイッチ１２は、遠隔管理コントローラ１３１の識別子Ｍ１およびネットワーク機器１３の遠隔管理コントローラ１３１がスイッチ１２に接続されたポートの第１ポート数Ｐ０を転送テーブルに保存する。そして、ステップ２０３において、リモートサーバー１１は、スイッチ１２から転送テーブルを取得する。前もって知った／取得したネットワーク機器１３の遠隔管理コントローラ１３１がスイッチ１２に接続されたポートの第１ポート数Ｐ０に基づいて、リモートサーバー１１は、転送テーブルを分析して、遠隔管理コントローラ１３１の識別子Ｍ１を取得する。１つの実施形態において、リモートサーバー１１は、遠隔管理コントローラ１３１の識別子Ｍ１を保存する。
【００４３】
ステップ２０５において、リモートサーバー１１は、遠隔管理コントローラ１３１の識別子Ｍ１に基づいて、遠隔管理コントローラ１３１のネットワークアドレスＮＤ１をネットワーク機器１３の遠隔管理コントローラ１３１に割り当てて送信する。詳しく説明すると、遠隔管理コントローラ１３１の識別子Ｍ１は、例えば、遠隔管理コントローラ１３１のＭＡＣアドレスである。
【００４４】
上述した自動マッピング手順によって、リモートサーバー１１は、遠隔管理コントローラ１３１のネットワークアドレスＮＤ１をネットワーク機器１３の遠隔管理コントローラ１３１に自動的に割り当てる。詳しく説明すると、本実施形態は、リモートサーバー１１がネットワーク機器１３の遠隔管理コントローラ１３１を遠隔管理、監視、および構成することさえできれば、遠隔管理コントローラ１３１の特定の実施モードを限定しない。遠隔管理コントローラ１３１は、例えば、ベースボード管理コントローラ（ＢＭＣ）である。
【００４５】
当然、上述した説明は単なる例であり、ネットワークシステム１の構造および機能は、実際の必要に応じて変更可能であるため、本発明はこれに限定されない。
【００４６】
図３は、本発明の第１実施形態に係るネットワーク機器を自動的に初期化する方法を示すフローチャートである。図３を参照すると、一例を挙げて、本実施形態のネットワーク機器を自動的に初期化する方法の自動マッピング手順のステップについて説明する。第１実施形態に係るネットワーク機器を自動的に初期化する方法において、リモートサーバーは、ネットワーク機器の遠隔管理コントローラがスイッチに接続されたポートの第１ポート数を前もって知り／取得し、ネットワーク機器のネットワークインターフェースカードがスイッチに接続されたポートの第２ポート数を前もって知る／取得する。本実施形態の自動マッピング手順は、以下のステップをさらに含む。
【００４７】
ステップＳ３１において、ネットワーク機器は、ネットワーク機器の遠隔管理コントローラの識別子を含む第１ディスカバリパケットをスイッチに送信する。詳しく説明すると、第１ディスカバリパケットは、例えば、ＢｏｏｔＰパケットまたはＤＨＣＰパケットである。
【００４８】
ステップＳ３２において、スイッチは、遠隔管理コントローラの識別子および遠隔管理コントローラがスイッチに接続されたポートの第１ポート数を転送テーブルに保存する。
【００４９】
ステップＳ３３において、リモートサーバーは、スイッチから転送テーブルを取得するとともに、前もって知った／取得した遠隔管理コントローラがスイッチに接続されたポートの第１ポート数に基づいて転送テーブルを分析して、遠隔管理コントローラの識別子を取得する。
【００５０】
ステップＳ３４において、リモートサーバーは、遠隔管理コントローラの識別子に基づいて、遠隔管理コントローラのネットワークアドレスをネットワーク機器の遠隔管理コントローラに割り当てて送信する。詳しく説明すると、遠隔管理コントローラの識別子は、例えば、遠隔管理コントローラのＭＡＣアドレスである。
【００５１】
図４は、本発明の第２実施形態に係るネットワーク機器を自動的に初期化するネットワークシステムを示す概略図である。図４を参照すると、本実施形態のネットワークシステム１は、リモートサーバー１１、スイッチ１２、およびネットワーク機器１３を含む。ネットワークシステム１は、複数のネットワーク機器１３を含んでもよい。しかしながら、本実施形態の技術特徴を明確に示すため、本実施形態では、１つのネットワーク機器１３のみを例示する。
【００５２】
ネットワークを介して、リモートサーバー１１をスイッチ１２に接続する。
【００５３】
ネットワーク機器１３は、遠隔管理コントローラ１３１およびネットワークインターフェースカード１３２を含む。ネットワーク機器１３の遠隔管理コントローラ１３１およびネットワークインターフェースカード１３２は、スイッチ１２のポートに接続される。本実施形態において、ネットワーク機器１３は、例えば、クライアント端サーバーである。
【００５４】
本実施形態の自動マッピング手順を実行した後、ネットワークシステム１は、さらに、自動事前構成手順を実行して、自動初期化全体を完了する。以下、自動事前構成手順について詳しく説明する。
【００５５】
ステップ４０１Ａにおいて、遠隔管理コントローラ１３１に割り当てられたネットワークアドレスＮＤ１に基づいて、ネットワークを介してリモートサーバー１１をスイッチ１２に接続する。したがって、リモートサーバー１１は、ステップ４０１Ｂに示すように、ネットワーク機器１３をブートするようネットワークを介して遠隔管理コントローラ１３１を制御することができる。
【００５６】
ステップ４０３Ａにおいて、ネットワーク機器１３をブートした後、ネットワーク機器１３は、ネットワーク機器１３のネットワークインターフェースカード１３２の識別子Ｍ２を含む第２ディスカバリパケットＲＰをスイッチ１２に送信／放送する。詳しく説明すると、第２ディスカバリパケットＲＰは、例えば、ＢｏｏｔＰパケットまたはＤＨＣＰパケットである。１つの実施形態において、プレブート実行環境（PXE）のネットワークブート機構を介して、ネットワーク機器１３をリモートサーバー１１でブートした後、ネットワーク機器１３は、第２ディスカバリパケットＲＰをスイッチ１２に送信または放送する。
【００５７】
ステップ４０３Ｂにおいて、スイッチ１２は、ネットワークインターフェースカード１３２の識別子Ｍ２およびネットワークインターフェースカード１３２がスイッチ１２に接続されたポートの第２ポート数Ｐ１を転送テーブルに保存する。詳しく説明すると、遠隔管理コントローラ１３１がスイッチ１２に接続されたポートの第１ポート数Ｐ０とネットワークインターフェースカード１３２がスイッチ１２に接続されたポートの第２ポート数Ｐ１は、同じポート数であっても、または異なるポート数であってもよい。
【００５８】
ステップ４０５に示すように、リモートサーバー１１は、スイッチ１２から転送テーブルを取得する。前もって知った／取得したネットワーク機器１３のネットワークインターフェースカード１３２がスイッチ１２に接続されたポートの第２ポート数Ｐ１に基づいて、リモートサーバー１１は、転送テーブルを分析して、ネットワーク機器１３のネットワークインターフェースカード１３２の識別子Ｍ２を取得するとともに、ネットワーク機器１３のネットワークインターフェースカード１３２の識別子Ｍ２を保存する。
【００５９】
詳しく説明すると、本実施形態は、リモートサーバー１１がネットワーク機器１３の遠隔管理コントローラ１３１を遠隔管理、監視、および構成することさえできれば、遠隔管理コントローラ１３１の特定の実施モードを限定しない。遠隔管理コントローラ１３１は、例えば、ベースボード管理コントローラ（ＢＭＣ）である。
【００６０】
上述した第１実施形態および第２実施形態に基づき、本実施形態の自動初期化は、２つの段階を含む。第１段階は、自動マッピング手順であり、第２段階は、自動事前構成手順である。上述した自動初期化が完了した後、リモートサーバー１１は、各ネットワーク機器１３をさらに構成することができる。例えば、リモートサーバー１１は、遠隔管理コントローラのパラメータ設定、基本入出力システム（ＢＩＯＳ）のパラメータ設定、独立ディスクの冗長アレイ（ＲＡＩＤ）のパラメータ設定、ネットワークパラメータの配備、ファームウェア更新等を含むネットワーク機器１３の操作を行うことができる。したがって、本実施形態の自動初期化は、初期化の人件費と時間を減らすことができる。
【００６１】
当然、上述した説明は単なる例であり、ネットワークシステム１の構造およびネットワークシステム１が実行する自動初期化のステップは、いずれも実際の必要に応じて変更可能であるため、本発明はこれに限定されない。
【００６２】
言及すべきこととして、従来、ゼロタッチプロビジョニング（ＺＴＰ）を行う前に、通常、手動で初期化を行う。つまり、ＩＴ技術者は、各ネットワーク機器の遠隔管理コントローラのＭＡＣアドレスを手動で確認して記録した後、ネットワークパラメータを各サーバーまたはネットワーク機器の遠隔管理コントローラに割り当てる必要がある。そして、ＩＴ技術者は、各ネットワーク機器のネットワーク設定を手動で行って、各ネットワーク機器のネットワークインターフェースカードのＭＡＣアドレスを記録するまで、ＺＴＰ技術でサーバーの配備を行うことができない。反対に、本発明の実施形態によると、リモートサーバーは、自動マッピング手順を実行して、各ネットワーク機器の遠隔管理コントローラの識別子（例えば、ＭＡＣアドレス）を自動的に取得し、異なるネットワークアドレス（例えば、ＩＰアドレス）を各ネットワーク機器の遠隔管理コントローラに割り当てる。また、リモートサーバーは、自動事前構成手順を実行して、各ネットワーク機器のネットワークインターフェースカードの識別子（例えば、ＭＡＣアドレス）を記録し、各ネットワーク機器を自動的に設定するため、人件費と時間を減らすことができる。
【００６３】
また、従来、ＺＴＰを行う前に初期化を手動で行うため、人的エラーが必然的に発生し、効率を下げる。反対に、本発明の実施形態によると、リモートサーバーは、地金に基づいて自動初期化を実現するため、人的エラーの発生を防ぎ、初期化の効率をさらに向上させる。
【００６４】
さらに、本発明の１つの実施形態において、自動事前構成手順によって、リモートサーバーは、ネットワーク機器のネットワークインターフェースカードの識別子（例えば、ＭＡＣアドレス）を取得する。つまり、ネットワーク機器がディスポーザブルＯＳ（disposable operation system）をロードする前に、リモートサーバーは、ネットワーク機器のネットワークインターフェースカードの識別子（例えば、ＭＡＣアドレス）を取得することができる。そのため、本発明で説明した実施形態は、初期化の効率をさらに上げることができる。したがって、本発明は、従来技術の効率を改善する。
【００６５】
図５は、本発明の第２実施形態に係るネットワーク機器を自動的に初期化する方法を示すフローチャートである。図５を参照すると、一例を挙げて、本実施形態のネットワーク機器を自動的に初期化する方法の自動事前構成手順のステップについて説明する。第２実施形態に係るネットワーク機器を自動的に初期化する方法において、リモートサーバーは、ネットワーク機器のネットワークインターフェースカードがスイッチに接続されたポートの第２ポート数を前もって知り／取得する。本実施形態の自動事前構成手順は、以下のステップをさらに含む。
【００６６】
ステップＳ５１において、遠隔管理コントローラのネットワークアドレス（例えば、ＩＰアドレス）に基づいて、リモートサーバーは、ネットワークを介してネットワーク機器に接続される。リモートサーバーは、ネットワーク機器をブートするようネットワークを介して遠隔管理コントローラを制御する。
【００６７】
ステップＳ５２において、ネットワーク機器をブートした後、ネットワーク機器は、ネットワーク機器のネットワークインターフェースカードの識別子（例えば、ＭＡＣアドレス）を含む第２ディスカバリパケットを生成し、第２ディスカバリパケットをスイッチに送信する。
【００６８】
ステップＳ５３において、スイッチは、ネットワークインターフェースカードの識別子およびネットワークインターフェースカードがスイッチに接続されたポートの第２ポート数を転送テーブルに保存する。
【００６９】
ステップＳ５４において、リモートサーバーは、スイッチから転送テーブルを取得し、前もって知った／取得したネットワークインターフェースカードがスイッチに接続されたポートの第２ポート数に基づいて、リモートサーバーは、転送テーブルを分析して、ネットワーク機器のネットワークインターフェースカードの識別子を取得するとともに、ネットワーク機器のネットワークインターフェースカードの識別子を保存する。
【産業上の利用可能性】
【００７０】
以上のように、本発明の実施形態によると、リモートサーバーは、自動マッピング手順を実行して、各ネットワーク機器の遠隔管理コントローラの識別子（例えば、ＭＡＣアドレス）を自動的に取得し、異なるネットワークアドレス（例えば、ＩＰアドレス）を各ネットワーク機器の遠隔管理コントローラに割り当てる。
【００７１】
また、本発明の実施形態によると、リモートサーバーは、自動事前構成手順を実行して、各ネットワーク機器のネットワークインターフェースカードの識別子（例えば、ＭＡＣアドレス）を記録し、各ネットワーク機器を自動的に設定するため、人件費と時間を減らすことができる。
【００７２】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００７３】
１  ネットワークシステム
１１  リモートサーバー
１１１  ネットワーク接続インターフェース
１１２  プロセッサ
１２  スイッチ
１３  ネットワーク機器
１３１  遠隔管理コントローラ
１３２  ネットワークインターフェースカード（ＮＩＣ）
ＤＰ  第１ディスカバリパケット
Ｍ１、Ｍ２  識別子
ＮＤ１  ネットワークアドレス
Ｐ０  第１ポート数
Ｐ１  第２ポート数
ＲＰ  第２ディスカバリパケット
２０１Ａ、２０１Ｂ、２０３、２０５、４０１Ａ、４０１Ｂ、４０３Ａ、４０３Ｂ、４０５  ステップ
Ｓ３１〜Ｓ３４、Ｓ５１〜Ｓ５４  ステップ
【図１】
2019087991.tif 000003
【図２】
2019087991.tif 000004
【図３】
2019087991.tif 000005
【図４】
2019087991.tif 000006
【図５】
2019087991.tif 000007
【外国語明細書】
2019087991000001.pdf